(57)【要約】【課題】鋏、特に理美容用の鋏において、より自然と感じさせることができ、より美的要素を感じさせることができるカットが可能な鋏を提供する。【解決手段】鋏１００は、刃先１１ａを有する動刃１１が、長手方向に凹凸形状になるように形成されており、長手方向に波状などの凹凸形状に形成されている動刃１１の刃先１１ａは、刃受２１の刃受面２１ａに当接されるように形成されている。鋏１００の特徴は、動刃部１０と刃受部２０を有していることであり、例えば、刃受２１の刃受面２１ａに置かれた髪は、支軸３０を支点として回動され動刃１１の刃先１１ａによって、刃先１１ａと刃受面２１ａの間に置かれた髪が、圧縮されて切断されるように形成されている。【選択図】図１
0003218292.tif 000002
【実用新案登録請求の範囲】
【請求項１】
動刃部と刃受部と支軸を有し、前記支軸を支点として、前記動刃部と前記刃受部が、回動されることにより対象物を切断するように形成されている鋏であって、
前記動刃部は、刃先を有する動刃と、前記動刃と一体的に形成されている動刃柄と、前記動刃柄と一体的に形成されている動刃指孔を有し、
前記刃受部は、前記動刃の刃先が当接されるように形成されている面である刃受面を有する刃受と、前記刃受と一体的に形成されている刃受柄と、前記刃受柄と一体的に形成されている刃受指孔を有しており、
前記支軸は、前記動刃柄と前記刃受柄に設けられており、
前記動刃の刃先は、長手方向に凹凸形状になるように形成されており、前記長手方向に凹凸形状に形成されている前記刃先が、前記刃受の前記刃受面に当接されるように形成されていることを特徴とする鋏。
【請求項２】
前記凹凸形状は、波状、矩形状または三角形状であることを特徴とする請求項１に記載の鋏。
【請求項３】
前記動刃部と前記刃受部は、理美容用に形成されており、
前記刃受の刃受面に置かれた髪は、前記支軸を支点として回動された前記動刃の刃先によって、圧縮されて切断されるように形成されていることを特徴とする請求項１または請求項２に記載の鋏。
【請求項４】
前記刃先の部分は、替え刃となるように形成されていることを特徴とする請求項１から請求項３のいずれかに記載の鋏。
【考案の詳細な説明】
【技術分野】
【０００１】
本考案は、鋏に関する。
【背景技術】
【０００２】
鋏は、物を切断する道具として普及しており、例えば、鋏の使用者が手首に負担がかからず、楽な姿勢で細かい曲線や自然な曲線のカットをできる理美容鋏が開示されている。
【先行技術文献】
【特許文献】
【０００３】
【特許文献１】特開２００４−２４３１８号公報
【考案の概要】
【考案が解決しようとする課題】
【０００４】
従来の鋏、特に理美容用の鋏において、髪の切断、つまり髪のカットされた部分が不自然であるという問題があり、このような問題を解決する鋏が求められていた。
【０００５】
本考案は、こうした点に鑑みてなされたものであり、鋏、特に理美容用の鋏において、より自然と感じさせることができ、より美的要素を感じさせることができるカットが可能な鋏を提供することである。
【課題を解決するための手段】
【０００６】
上記課題を解決するために、本考案に係る鋏は、動刃部と刃受部と支軸を有し、前記支軸を支点として、前記動刃部と前記刃受部が、回動されることにより対象物を切断するように形成されている鋏であって、前記動刃部は、刃先を有する動刃と、前記動刃と一体的に形成されている動刃柄と、前記動刃柄と一体的に形成されている動刃指孔を有し、前記刃受部は、前記動刃の刃先が当接されるように形成されている面である刃受面を有する刃受と、前記刃受と一体的に形成されている刃受柄と、
前記刃受柄と一体的に形成されている刃受指孔を有しており、前記支軸は、前記動刃柄と前記刃受柄に設けられており、前記動刃の刃先は、長手方向に凹凸形状になるように形成されており、前記長手方向に凹凸形状に形成されている前記刃先が、前記刃受の前記刃受面に当接されるように形成されていることを特徴とする。
【０００７】
本考案に係る鋏の態様について、前記凹凸形状は、波状、矩形状または三角形状であることが好ましい。
【０００８】
本考案に係る鋏の態様について、前記動刃部と前記刃受部は、理美容用に形成されており、前記刃受の刃受面に置かれた髪は、前記支軸を支点として回動された前記動刃の刃先によって、圧縮されて切断されるように形成されていることが好ましい。また、前記刃先の部分は、替え刃となるように形成されていることが好ましい。
【考案の効果】
【０００９】
本考案によれば、鋏、特に理美容用の鋏において、より自然と感じさせることができ、より美的要素を感じさせることができるカットが可能な鋏を提供することができる。また、本考案の鋏は、理容師、美容師などによるヘアカットにおいて、髪の毛先をまとまりよく整え揃えることができる優れた効果を有するものである。
【図面の簡単な説明】
【００１０】
【図１】実施形態の鋏の一例を示す模式図である。
【考案を実施するための形態】
【００１１】
以下、本考案の鋏の実施形態を、図１を用いて説明する。図１（ａ）は、実施形態の鋏の動刃部と刃受部が開いている状態を横から見た一例を示す模式図である。図１（ｂ）は、実施形態の鋏の動刃部と刃受部が閉じている状態を横から見た一例を示す模式図である。図１（ｃ）は、図１（ｂ）を上の方向から見た鋏の動刃部と刃受部を示す拡大模式図である。なお、図1に示す実施形態は、本考案の一例でありこれに限定されず、本考案の各構成が適宜最適なものとなるように設計するとよい。
【００１２】
鋏１００は、動刃部１０と刃受部２０と支軸３０を有しており、支軸３０を支点として、動刃部１０と刃受部２０が、回動されることにより、紙、髪などの対象物を切断するように形成されている。
【００１３】
動刃部１０は、刃先１１ａを有する動刃１１と、動刃１１と一体的に形成されている動刃柄１２と、動刃柄１２と一体的に形成されている動刃指孔１３を有している。なお、刃先１１ａは、例えば鋭利な形状が望ましいが、適宜最適な形状にするとよい。
【００１４】
刃受部２０は、動刃１１の刃先１１ａが当接されるように形成されている面である刃受面２１ａを有する刃受２１と、刃受２１と一体的に形成されている刃受柄２２と、刃受柄２２と一体的に形成されている刃受指孔２３を有している。
【００１５】
上記の刃先１１ａが刃受面２１ａに当接されるということについては、例えば、刃先１１ａの全てが刃受面２１ａに、一様に接触し、これら刃先１１ａと刃受面２１ａとの間にある対象物を、刃先１１ａと刃受面２１ａが圧縮し切断することができるという構成である。なお、刃先１１ａは、動刃１１と一体的に形成されているが、これに限定されず、例えば、刃先１１ａの部分が、替え刃となるように形成されていてもよく、このように刃先１１ａの部分が替え刃となることで、鋏１００において、例えば、簡易に定期的に刃先１１ａの部分を交換できる構成とすることができる。
【００１６】
支軸３０は、動刃柄１２と刃受柄２２に設けられており、この支軸３０を支点として、例えば、動刃指孔１３に入れた人差し指と刃受指孔２３に入れた親指を用いて、刃先１１ａと刃受面２１ａの間に置かれた切断対象物を、刃先１１ａで切断することができる構成となっている。
【００１７】
鋏１００は、動刃１１の刃先１１ａが、長手方向に凹凸形状になるように形成されており、つまり、刃先１１ａは、刃受面２１ａに向かって長手方向が左右に凹凸形状となるように形成されており、このように長手方向に凹凸形状に形成されている動刃１１の刃先１１ａは、刃受２１の刃受面２１ａに当接されるように形成されている。この例において、刃先１１ａを含む動刃１１は、長手方向に凹凸形状に形成されているが、これは一例でありこれに限定されず、例えば、刃先１１ａの部分のみが、長手方向に凹凸形状になるように形成されてもよく、適宜最適な構成とすればよい。なお、上記の凹凸形状は、波状、矩形状または三角形状であってもよく、これに限定されず適宜最適な形状にするとよい。また、鋏１００の素材は、金属が望ましく、刃受面２１ａは、樹脂であってもよいが、これらに限定されず適宜最適な素材を選択すればよい。
【００１８】
本考案の鋏１００の特徴は、凹凸形状の刃先１１ａとこの刃先１１ａと当接する刃受面２１ａを有していることである。このような動刃部１０と刃受部２０を有している鋏１００は、特に、理美容用に形成されていることが望ましい。髪のカットは、美容師などの専門家においても難しい技術であり、優れた機能を有する鋏が求められており、本考案の鋏１００は、特に、髪の毛先のカットにおいて、望むような自然で美しい仕上がりにすることができるという優れたものである。
【００１９】
美理容用に形成されている鋏１００の使用において、刃受２１の刃受面２１ａに置かれた髪は、支軸３０を支点として回動され動刃１１の刃先１１ａによって、すなわち、刃先１１ａと刃受面２１ａの間の髪が、圧縮されて切断されるように形成されている。また、刃受部２０は、刃受２１が鋭利な形状でないことより安全面でも効果を有している。
【００２０】
鋏１００を用いて上記のように切断された髪は、長手方向に凹凸形状に形成されている刃先１１ａによって、例えば、髪の毛先が波状に切断、つまりカットされることになり、従来にない自然で滑らかな仕上がりとなるという顕著な効果を有する。
【００２１】
以上、本考案の有する特徴及び優れた点を上記実施形態に記載したが、本考案は、本願の実用新案登録請求の範囲で使用されている言葉を広く一般的な意味に拡張して実施することができる。
【００２２】
また、本考案の鋏は、大きさや形状、素材の種類、厚さ、重さなどについては多様な実施形態が可能であり、それらについて本実施形態と異なる形態による実施は、本考案の技術的範囲に含まれる。
【符号の説明】
【００２３】
１００  鋏
１０    動刃部
１１    動刃
１１ａ  刃先
１２    動刃柄
１３    動刃指孔
２０    刃受部
２１    刃受
２１ａ  刃受面
２２    刃受柄
２３    刃受指孔
３０    支軸
【図１】
0003218292.tif 000003